(57)【要約】【課題】  回動軸と旋回軸を備えるヒンジを有するとともに妨害電波をより抑制することが可能な電子機器を提供することを目的とする。【解決手段】    ベースユニット２のグランドとディスプレイユニット３のグランドとを電気的に接続するための第１の導電部材１１がベースユニット２の後上面２ｂに設けられる。後上面２ｂに設けられた第１の導電部材１１は、ディスプレイユニット３が閉じられた状態にある時にディスプレイユニット３に設けられた第２の導電部材２１と接触する。ヒンジ部以外に導電部材を設けることで、ディスプレイユニット３とベースユニット２の電気的な接触点が多くなるため、ＬＣＤ６から発生する妨害電波が電子機器１の外部に漏洩するのをより効果的に防止することが出来る。【選択図】  図１
2009075865.tif 000002
【特許請求の範囲】
【請求項１】
上面を有する第１の筐体と、
前記第１の筐体とヒンジを介して、前記第１の筐体を覆うように第１の方向に回動するとともに前記第１の方向とは異なる第２の方向に旋回するように接続される第２の筐体と、
前記ヒンジ部内に設けられ前記第１の筐体のグランドと前記第２の筐体のグランドとを電気的に接続する金属体と、
前記第１の筐体の上面に露出して設けられ、前記第１の筐体のグランドと電気的に接続される第１の導電部材と、
前記第２の筐体に設けられ、前記第２の筐体のグランドと電気的に接続されるとともに、前記第２の筐体が前記第１の筐体の上面を覆うように閉じられた際に、前記第１の導電部材と接触する第２の導電部材と、
を備えることを特徴とする電子機器。
【請求項２】
前記第１の筐体は、近傍に前記ヒンジ部が設けられる第１の端部と、前記第１の端部と反対側に位置する第２の端部とを備え、
前記第１の導電部材は前記第１の端部に設けられることを特徴とする請求項１記載の電子機器。
【請求項３】
前記第１の筐体は、近傍に前記ヒンジ部が設けられる第１の端部と、前記第１の端部と反対側に位置する第２の端部とを備え、
前記第２の端部の近傍には、前記第２の筐体が前記第１の筐体の上面を覆うように閉じられた際に、前記第２の筐体と接触するように設けられる第３の導電部材が設けられることを特徴とする請求項１記載の電子機器。
【請求項４】
前記第２の筐体の前面には、前記第２の筐体が前記第１の筐体の上面を覆うように閉じられた際に前記第３の導電部材と接触する第４の導電部材が設けられることを特徴とする請求項３記載の電子機器。
【請求項５】
前記第２の筐体の背面には、前記第２の筐体の背面が前記第１の筐体の上面を覆うように閉じられた際に前記第３の導電部材と接触する第５の導電部材が設けられることを特徴とする請求項３記載の電子機器。
【発明の詳細な説明】
【技術分野】
【０００１】
本発明は、電子機器の電波対策に関する。
【背景技術】
【０００２】
ノートブック型のポータブルコンピュータに代表される電子機器には、ベースユニットとディスプレイユニットがヒンジで連結されているものがある。特許文献１に記載された電子機器に設けられたヒンジは、互いに交差する回動軸と旋回軸とを備える。回動軸は、ベースユニットに対してディスプレイユニットの表示面を伏せた閉状態とベースユニットに対して起立された開状態との間で回動可能に支持している。旋回軸は、回動軸と交差する向きに配置され回動軸ごとディスプレイユニットをベースユニットに対して回転させる。また、表示装置は、旋回軸と回動軸を中心に回動することによって、表示面を本体に対して仰向けにする反転状態となる。この電子機器は、反転状態においても表示装置に対して直接触れて入力を行えるタッチパネルを備えている。
【特許文献１】特開２００４−５３９２７号公報
【発明の開示】
【発明が解決しようとする課題】
【０００３】
電子機器には旋回軸を有さず回動軸のみを有するものもある。一般にこの場合は、ヒンジを２箇所に設け、ベースユニットに対してディスプレイユニットの表示面を伏せた閉状態とベースユニットに対して起立された開状態との間で回動可能に支持するとともに、２箇所に設けられたヒンジを通じてディスプレイユニットとベースユニットのグランド接続が施される。
【０００４】
しかし上記のように回動軸と旋回軸を備えるヒンジを有する電子機器は、ディスプレイユニットとベースユニットのグランド接続箇所がヒンジ１箇所だけになる。そのため、ディスプレイユニット内に設けられたＬＣＤ（Ｌｉｑｕｉｄ  Ｃｒｙｓｔａｌ  Ｄｉｓｐｌａｙ）から発生する妨害電波レベルが高くなる傾向にある。
【０００５】
そこで本発明の目的は、回動軸と旋回軸を備えるヒンジを有するとともに妨害電波をより抑制することが可能な電子機器を提供することにある。
【課題を解決するための手段】
【０００６】
上記目的を達成するために本発明に係る電子機器は、上面を有する第１の筐体と、前記第１の筐体とヒンジを介して、第１の方向および前記第１の方向とは異なる第２の方向に回動可能に接続される第２の筐体と、前記ヒンジ部内に設けられ前記第１の筐体のグランドと前記第２の筐体のグランドとを電気的に接続する金属体と、前記第１の筐体の上面に露出して設けられ、前記第１の筐体のグランドと電気的に接続される第１の導電部材と、前記第２の筐体に設けられ、前記第２の筐体のグランドと電気的に接続されるとともに、前記第２の筐体が前記第１の筐体の上面を覆うように閉じられた際に、前記第１の導電部材と接触する第２の導電部材と、を備えることを特徴とする。
【発明の効果】
【０００７】
本発明によれば、回動軸と旋回軸を備えるヒンジを有するとともに妨害電波をより抑制することが可能な電子機器を提供することができる。
【発明を実施するための最良の形態】
【０００８】
以下本発明に係る実施の形態を、図面を参照して説明する。図１乃至図４は本発明の実施形態に係る電子機器を示す外観斜視図である。電子機器１はベースユニット２を備え、ベースユニット２内には電子部品が実装された回路基板が内蔵される。ベースユニット２の前上面２ａにはタッチパッド４が、後上面２ｂにはキーボード５が露出している。ディスプレイユニット３はＬＣＤ６とタッチパネル７とを備え、ディスプレイユニット３の前面３ａからＬＣＤ６が露出している。ＬＣＤ６は電子機器によって処理された情報を表示する表示装置である。タッチパネル７はＬＣＤ６に積層されており、ＬＣＤ６に表示された情報と関連付けた入力を行うことができる。
【０００９】
ベースユニット２とディスプレイユニット３とはヒンジ８を介して連結されている。このヒンジ８は、図１に示すように互いに交差する２つの軸である回動軸９と旋回軸１０とを備えている。回動軸９は、図２に示すようにディスプレイユニット３の前面３ａをキーボード５側に向けてディスプレイユニット３をベースユニット２に重ねた状態から、図１に示すようにディスプレイユニット３の一辺に沿う軸線Ａを中心にディスプレイユニット３をベースユニット２に対して立て起した状態までの間、ディスプレイユニット３を回転させる。旋回軸１０は、ディスプレイユニット３を立て起こした状態から軸線Ｂを中心にディスプレイユニット３を回転させる。回動軸９と旋回軸１０とによって、ディスプレイユニット３が旋回軸１０を中心に旋回している状態や、図４に示すようにタッチパネル７が露出する面と反対側の背面３ｂがキーボード５側に向く状態とすることができる。
【００１０】
図５は本発明の実施形態に係る電子機器の断面を示す図である。図５に示すように、ベースユニット２の内面２ｃには導電塗装などにより導電性が付与される。ディスプレイユニット３の内面３ｃも同様に導電塗装などにより導電性が付与される。
【００１１】
ＬＣＤ６からは妨害電波が発生するため、この妨害電波が電子機器１の外部に漏洩しないように、ディスプレイユニット３のグランドとベースユニットのグランドとは電気的に接続される。図１および図３に示すようにヒンジ８内には、ディスプレイユニット３のグランドとベースユニット２のグランドとを電気的に接続する金属体８ａが設けられる。
【００１２】
本実施形態では、金属体８ａ以外にも、ベースユニット２のグランドとディスプレイユニット３のグランドとを電気的に接続するための第１の導電部材１１がベースユニット２の後上面２ｂに設けられる。後上面２ｂに設けられた第１の導電部材１１は、ディスプレイユニット３が第２状態にある時にディスプレイユニット３に設けられた第２の導電部材２１と接触する。金属体８ａ以外に導電部材を設けることで、ディスプレイユニット３とベースユニット２の接触点が多くなるため、ＬＣＤ６から発生する妨害電波が電子機器１の外部に漏洩するのをより効果的に防止することが出来る。
【００１３】
図２または図４に示すようにディスプレイユニット３を閉じると、ディスプレイユニット３の形状や寸法によっては第１の導電部材１１がディスプレイユニット３に設けられた第２の導電部材２１と接触しない場合が考えられる。この場合、ベースユニット２の前上面２ａに第３の導電部材３１を設けることが望ましい。ディスプレイユニット３を閉じた際に、ベースユニット２の前上面２ａに設けられた第３の導電部材３１とディスプレイユニット３の前面３ａまたは背面３ｂが接触することで、ベースユニット２とディスプレイユニット３の接続点が多くなるため、ＬＣＤ６から発生する妨害電波が電子機器１の外部に漏洩するのを防止することができる。
【００１４】
次に図５を参照して本発明の実施形態に係る電子機器の内部構造について説明する。上述のように、ベースユニット２の内面２ｃおよびディスプレイユニット３の内面３ｃには銅やアルミニウム等の導電塗装が施されグランドとして使用される。
【００１５】
ベースユニット２の後上面２ｂからは第１の導電部材１１の端部１１ａが開口部２ｄを通り、突出するように設けられる。端部１１ａには、例えば半球状や円柱状の凸部１１ｂを形成することができる。第１の導電部材１１には例えば銅やステンレス等が用いられる。第１の導電部材１１は、ベースユニット２の内面２ｃに設けられたボス１３を介してネジ１４により固定される。第１の導電部材１１の固定には、ボス１３とネジ１４を用いる他に、溶着等を用いて直接ベースユニット２と固定しても良い。
【００１６】
第１の導電部材１１の接合面１１ｃがベースユニット２の内面２ｃに設けられたボス１３と接触することで、第１の導電部材１１は導電塗装が施されたベースユニット２の内面２ｃと電気的に接触する。第１の導電部材１１の端部１１ｄは自由端となり、外力に応じてたわむことができる。
【００１７】
また、ベースユニット２の内面２ｃには、回路基板１５を固定するためのボス１６も複数設けられる。回路基板１５には図示しないネジ穴が設けられ、ボス１６を介してネジ１７によりベースユニット２と回路基板１５とがネジ止めされる。
【００１８】
ディスプレイユニット３の下面３ｄからは第２の導電部材２１の端部２１ａが開口部３ｅを通り、突出している。第２の導電部材２１の端部２１ａには凹部２１ｂが設けられる。導電部材２１は、ディスプレイユニット３の内面３ｃに設けられたボス２３を介してネジ２４により固定される。第２の導電部材２１の接合面２１ｃがディスプレイユニット３の内面３ｃに設けられたボス２３と接触することで、第２の導電部材２１は導電塗装が施されたディスプレイユニット３の内面３ｃと電気的に接触する。
【００１９】
ディスプレイユニット３がベースユニット２に対して立て起こされた状態にある時、第１の導電部材１１の凸部１１ｂと第２の導電部材２１の凹部２１ｂとが接触することでディスプレイユニット３とベースユニット２とが電気的に接続される。
【００２０】
第１の導電部材１１の端部１１ｄは自由端となり外力に応じてたわむことができることから、第１の導電部材１１の凸部１１ｂとディスプレイユニット３の第２の導電部材２１の凹部２１ｂとが嵌合しやすく、またディスプレイユニット３を回動、旋回させた時は凸部１１ｂと凹部２１ｂとの嵌合が外れやすくなる。
【００２１】
第１の導電部材１１の凸部１１ｂはディスプレイユニット３を開いた状態で、ディスプレイユニット３がガタつくのを防止することもできる。なお、上記の説明ではベースユニット２側の導電部材１１に凸部１１ｂを設け、ディスプレイユニット３側の導電部材２１に凹部２１ｂを設けているが、無論、ベースユニット２側の導電部材１１に凹部を設け、ディスプレイユニット３側の導電部材２１に凸部を設けるようにしても良い。さらに、ベースユニット２とディスプレイユニット３とのいずれかに凸部を設け、ベースユニット２とディスプレイユニット３との電気的な接触およびディスプレイユニット３が回動、旋回する際に抵抗を生じるようにしても良い。
【００２２】
ベースユニット２の前上面２ａからは第３の導電部材３１の端部３１ａが突出するように設けられる。端部３１ａには、例えば半球状や円柱状の凸部３１ｂを形成することができる。第３の導電部材３１には例えば銅やステンレス等が用いられる。第３の導電部材３１は、ベースユニット２の内面２ｃに設けられたボス１３を介してネジ１４により固定される。第１の導電部材１１の固定には、ボス１３とネジ１４を用いる他に、溶着等を用いて直接ベースユニット２と固定しても良い。図１および図３に示すようにディスプレイユニット３の前面３ａには、第３の導電部材３１が設けられる。
【００２３】
図６は本発明の実施形態に係る電子機器の断面を示す図である。図６はディスプレイユニット３を閉じた状態を示している。図６に示すように、ディスプレイユニット３の前面３ａから突出するように、第４の導電部材４１が設けられる。第４の導電部材４１は係止部４２を有し、この係止部４２によって第４の導電部材４１がディスプレイユニット３に係止されるとともに、係止部４２の接触面４２ａがディスプレイユニット３の内面３ｃと接触することで、ディスプレイユニット３と第４の導電部材４１とが電気的に接続される。
【００２４】
第４の導電部材４１はその胴部４３の径が、ディスプレイユニット３の前面３ａに設けられた内壁３ｆによって規定される穴の径よりも小さくなるように形成される。第４の導電部材４１は凹部４４を有し、ディスプレイユニット３の前面３ａがベースユニット２の上面と対向するように閉じられた時、第３の導電部材３１の凸部３１ｂと第４の導電部材の凹部４４とが接触し、ベースユニット２とディスプレイユニット３とが電気的に接続される。
【００２５】
ディスプレイユニット３の背面３ｂから突出するように、第５の導電部材５１が設けられる。第５の導電部材５１は係止部５２を有し、この係止部５２によって第５の導電部材５１がディスプレイユニット３に固定されるとともに、係止部５２の接触面５２ａがディスプレイユニット３の内面３ｃと接触することで、ディスプレイユニット３と第５の導電部材５１とが電気的に接続される。
【００２６】
第５の導電部材５１はその胴部５３の径が、ディスプレイユニット３の背面３ｂに設けられた内壁３ｆによって規定される穴の径よりも小さくなるように形成される。第５の導電部材５１は凹部５４を有し、ディスプレイユニット３の背面３ｂがベースユニット２の上面と対向するように閉じられた時、第３の導電部材３１の凸部３１ｂと第５の導電部材の凹部５４とが接触し、ベースユニット２とディスプレイユニット３とが電気的に接続される。
【００２７】
第４の導電部材４１および第５の導電部材５１は導電性の金属や導電性ゴムなどによって形成することができる。第４の導電部材４１および第５の導電部材５１は、導電塗装が施されたディスプレイユニット３の内面３ｃと電気的に接触するように設けられる。
【００２８】
ベースユニット２に設けられた第３の導電部材３１の凸部３１ｂとディスプレイユニット３に設けられた第４の導電部材４１の凹部４４とが係合することで、ディスプレイユニット３の前面３ａがベースユニット２の上面と対向するように閉じられた時、ディスプレイユニット３がガタつくのを防止することもできる。また、ベースユニット２に設けられた第３の導電部材３１の凸部３１ｂとディスプレイユニット３に設けられた第５の導電部材５１の凹部５４とが係合することで、ディスプレイユニット３の背面３ｂがベースユニット２の上面と対向するように閉じられた時、ディスプレイユニット３がガタつくのを防止することもできる。
【００２９】
本実施形態によれば、回動軸と旋回軸を備えるヒンジを有する電子機器において、ヒンジによるディスプレイユニット３とベースユニット２のグランド接続箇所が１箇所であっても、第１の導電部材１１、第２の導電部材２１、第３の導電部材３１、第４の導電部材４１、第５の導電部材５１を設けることによって、ディスプレイユニット３とベースユニット２のグランド接続箇所を増やすことができるため、より妨害電波を抑制することができる。
【００３０】
図６には、ベースユニット２の上面から第３の導電部材３１の凸部３１ｂが突出し、ディスプレイユニット３の前面３ａから第４の導電部材４１の凹部４３が突出し、ディスプレイユニット３の背面３ｃから第５の導電部材５１の凹部５３する場合を示したが、ベースユニット２側に凹部が設けられ、ディスプレイユニット３側に凸部が設けられようにしてもよい。その他、ベースユニット２側の第３の導電部材とディスプレイユニット３側の第４の導電部材とが平面的に接触するような構造を採用することで、ベースユニット２とディスプレイユニット３との電気的接続を確保するようにしてもよい。
【００３１】
以上の説明のように本発明の実施形態によれば、回動軸と旋回軸を備えるヒンジを有するとともに妨害電波をより抑制することが可能な電子機器を提供することができる。
【００３２】
本発明ではその主旨を逸脱しない範囲であれば、上記の実施形態に限定されるものではなく種々の変形が可能である。
【図面の簡単な説明】
【００３３】
【図１】本発明の実施形態に係る電子機器を示す外観斜視図。
【図２】本発明の実施形態に係る電子機器を示す外観斜視図。
【図３】本発明の実施形態に係る電子機器を示す外観斜視図。
【図４】本発明の実施形態に係る電子機器を示す外観斜視図。
【図５】本発明の実施形態に係る電子機器を示す断面図。
【図６】本発明の実施形態に係る電子機器を示す断面図。
【符号の説明】
【００３４】
１…電子機器、２…ベースユニット、３…ディスプレイユニット、４…タッチパッド、５…キーボード、８…ヒンジ、９…回動軸、１０…旋回軸、１１…第１の導電部材、２１…第２の導電部材、３１…第３の導電部材、４１…第４の導電部材、５１…第５の導電部材
【図１】
2009075865.tif 000003
【図２】
2009075865.tif 000004
【図３】
2009075865.tif 000005
【図４】
2009075865.tif 000006
【図５】
2009075865.tif 000007
【図６】
2009075865.tif 000008